(57)【要約】【課題】屋外装置が浸水しているか否かを精度よく検出することができる屋外装置の浸水検出方法を提供する。【解決手段】屋外装置内の湿度を取得し、取得した湿度に基づいて単位時間当たりの湿度変動量を演算し、前記湿度変動量と予め設定された閾値とを比較し、前記湿度変動量が前記閾値を上回った場合に前記屋外装置が浸水していると判断することで浸水検出を行う。【選択図】図３
2012037347.tif 000002
【特許請求の範囲】
【請求項１】
屋外装置内の湿度を取得し、
取得した湿度に基づいて単位時間当たりの湿度変動量を演算し、
前記湿度変動量と予め設定された閾値とを比較し、前記湿度変動量が前記閾値を上回った場合に前記屋外装置が浸水していると判断することで浸水検出を行う
ことを特徴とする屋外装置の浸水検出方法。
【発明の詳細な説明】
【技術分野】
【０００１】
本発明は屋外装置の浸水検出方法に関するものである。
【背景技術】
【０００２】
従来の屋外装置は浸水等の異常が発生した場合に管理者等に知らせるため、種々の手段が講じられている。例えば、屋外装置の筐体内部に湿度センサを設け、筐体内部が乾燥状態から浸水状態になるような急激な湿度の変化を検出する方法が提案されている。
【０００３】
関連する技術としては、例えば、下記特許文献１が挙げられる。
【先行技術文献】
【特許文献】
【０００４】
【特許文献１】特開平４−３１９６４０号公報
【発明の概要】
【発明が解決しようとする課題】
【０００５】
しかし、従来の方法は湿度の変化を検出する際に乾燥状態の湿度を基準としており、湿度の大きさにより異常状態を検出するものである。このため、雨天等により筐体内の湿度が上昇している場合には、屋外装置が浸水しても湿度の変動量が少なく、浸水したことを検出することができない場合があった。
【０００６】
本発明は上述した問題点を解決するためになされたものであり、屋外装置が浸水しているか否かを精度よく検出することができる屋外装置の浸水検出方法を提供することを目的とする。
【課題を解決するための手段】
【０００７】
上述した課題を解決するため、本発明の屋外装置の浸水検出方法は、屋外装置内の湿度を取得し、取得した湿度に基づいて単位時間当たりの湿度変動量を演算し、前記湿度変動量と予め設定された閾値とを比較し、前記湿度変動量が前記閾値を上回った場合に前記屋外装置が浸水していると判断することで浸水検出を行う。
【０００８】
また、前記屋外装置内の湿度を取得し、前記取得した湿度に基づいて演算された単位時間当たりの湿度変動量と、前記屋外装置の容積、前記透湿手段の透湿性及び所定の温度における飽和水蒸気量に基づいて演算された閾値とを比較し、前記湿度変動量が前記閾値を上回った場合に前記屋外装置が浸水していると判断することで浸水検出を行う。
【０００９】
また、浸水検出装置として、屋外装置内の湿度を取得する湿度取得部と、前記湿度取得部により取得された湿度に基づいて単位時間当たりの湿度変動量を演算する演算部と、予め設定された閾値を読み出す閾値読出部と、前記湿度変動量が前記閾値を上回った場合に前記屋外装置が浸水していると判断することで浸水検出を行う判断部とを備える。
【発明の効果】
【００１０】
以上に詳述したように本発明によれば、屋外装置が浸水しているか否かを精度よく検出することができる。
【図面の簡単な説明】
【００１１】
【図１】本実施の形態に係る第１の屋外装置のハードウェア構成を示すブロック図である。
【図２】本実施の形態に係る第１の屋外装置の機能ブロック図である。
【図３】本実施の形態に係る第１の屋外装置の湿度検出方法のフローチャートである。
【図４】本実施の形態に係る第２の屋外装置のハードウェア構成を示すブロック図である。
【発明を実施するための形態】
【００１２】
以下、本実施の形態について図面を参照しつつ説明する。図１は、本実施の形態に係る第１の屋外装置１のハードウェア構成を示すブロック図である。第１の屋外装置１は、筐体１１、湿度センサ（湿度検出手段）１２、透湿手段１３、メモリ１４、ＣＰＵ（Ｃｅｎｔｒａｌ  Ｐｒｏｃｅｓｓｉｎｇ  Ｕｎｉｔ）１５及び不揮発性メモリ１６を有する。
【００１３】
筐体１１は第１の屋外装置１の内部に搭載されている種々の機器を保護するものであるが、筐体１１内の湿度を保持する観点から、筐体１１の一部に透湿手段１３を配置するようなものであればよく、密封や密閉する必要はない。湿度センサ（湿度検出手段）１２は筐体１１内の湿度を検出するセンサであり、所定時間間隔で湿度を検出し、検出した湿度データをメモリ１４に送信する。
【００１４】
透湿手段１３は、筐体１１の内部と外部との間で微量の水蒸気や空気を通過させるものである。このため、透湿手段１３は筐体１１の内部と外部との気圧調整機能を有する。透湿手段１３としては、例えば、ポリテトラフルオロエチレン樹脂を延伸して多孔質化させたフイルム、ポリウレタン樹脂の湿式成膜フイルムのような微多孔質膜を利用するもの、親水性を有するポリウレタン樹脂の無孔質膜などが挙げられる。また、筐体１１の材質が水蒸気を透過させるものであれば筐体１１自体が透湿手段１３であってもよい。透湿手段１３の透湿性は、例えばＪＩＳ  Ｌ１０９９Ｂ−２法で測定される。
【００１５】
本実施の形態では、第１の屋外装置１が浸水した場合、浸水した水分が透湿手段１３により水蒸気として第１の屋外装置１の周囲に順次排出されるため、第１の屋外装置１の内部損傷を軽微に済ませることができる。また、筐体１１の内部湿度は、透湿手段１３の透湿性能や第１の屋外装置１の周囲の湿度により水蒸気の排出時間が異なるものの、水蒸気の排出が進めば閾値以下に低下する。
【００１６】
メモリ１４は、湿度センサ１２から送信された湿度データを一時的に保存する。ＣＰＵ１５は、湿度変動量の演算等を行う。ＣＰＵ１５の機能構成については図２を用いて後述する。不揮発性メモリ１６は、ＣＰＵ１５で演算された結果等を保存する。
【００１７】
次に、第１の屋外装置１の機能構成について説明する。図２は、本実施の形態に係る第１の屋外装置１の機能ブロック図である。なお、以下の説明では、図１の各部を用いて説明する。
【００１８】
図２に示すように、第１の屋外装置１は、湿度取得部１１１、演算部１１２、閾値読出部１１３、判断部１１４及び保存部１１５を備える。
【００１９】
湿度取得部１１１はメモリ１４に保存された湿度データを取得する。演算部１１２は湿度取得部１１１で取得した湿度に基づいて単位時間当たりの湿度変動量を演算する。演算部１１２は、例えば、ＣＰＵ１５の内部クロックに基づいて単位時間当たりの湿度変動量を演算してもよく、湿度取得部１１１が湿度データを取得した時刻に基づいて単位時間当たりの湿度変動量を演算してもよい。
【００２０】
閾値読出部１１３は、不揮発性メモリ１６に予め保存されている湿度変動量の閾値を読み出す。閾値については後述する。判断部１１４は、演算部１１２での演算結果と閾値読出部１１３により読み出された閾値とを比較し、どちらが大きいか判断する。保存部１１５は判断部１１４での判断結果を不揮発性メモリ１６に保存する。
【００２１】
本実施の形態における閾値について説明する。本実施の形態では、第１の屋外装置１は、例えば内容量（容積）が１ｍ3の筐体１１と、透湿性が４５０ｇ／ｍ2・ｈで面積が１ｃｍ2の透湿手段１３とを有するものとする。
【００２２】
１ｍ3当たりの飽和水蒸気量は気温が２０℃の場合に約１７．３ｇである。この場合、透湿手段１３による湿度の通過量は、１時間当たり、
【００２３】
【数１】
2012037347.tif 000003
【００２４】
となる。このため、１時間当たりの湿度変動量は、
【００２５】
【数２】
2012037347.tif 000004
【００２６】
となる。同様に、気温が０℃の場合、１ｍ3の飽和水蒸気量は約４．８５ｇである。このため、１時間当たりの湿度変動量は約０．９３％となる。気温が５０℃の場合、１ｍ3の飽和水蒸気量は約８２．８ｇである。このため、１時間当たりの湿度変動量は約０．０５４％となる。気温が９０℃の場合、１ｍ3の飽和水蒸気量は約４１８ｇである。このため、１時間当たりの湿度変動量は約０．０１０７７％となる。
【００２７】
つまり、内容量が１ｍ3の筐体１１と、透湿性が４５０ｇ／ｍ2・ｈを示す透湿手段１３とを有する第１の屋外装置１では、水が流動すると想定される最低温度である０℃を基準とし、１時間当たり約０．９３％以上の湿度変動（上昇）があった場合、第１の屋外装置１が浸水していると判断する。すなわち、閾値は０．９３となる。なお、通常時の筐体１１内の湿度上昇は、筐体１１の内容量及び透湿手段１３の透湿性能によるが、外気と比較して緩やかである。
【００２８】
次に、第１の屋外装置１の動作について説明するとともに、第１の屋外装置１の浸水検出方法について説明する。図３は、本実施の形態に係る第１の屋外装置１の湿度検出方法のフローチャートである。なお、以下では、図１及び図２の各部を用いて説明する。
【００２９】
まず、湿度センサ１２は筐体１１内の湿度を検出し、検出した湿度データをメモリ１４に送信する。湿度取得部１１１はメモリ１４から湿度データを取得する（Ｓ１）。
【００３０】
次に、演算部１１２は湿度取得部１１１が取得した湿度データに基づいて単位時間当たりの湿度変動量を演算する（Ｓ２）。一方、閾値読出部１１３は、前述のように予め定められた閾値を不揮発性メモリ１６から読み出す（Ｓ３）。
【００３１】
そして、判断部１１４は、演算部１１２で演算した湿度変動量と、閾値読出部１１３で取得した閾値（例えば、本実施の形態では０．９３）とを比較する（Ｓ４）。湿度変動量が閾値より大きい場合（Ｓ４、ｙｅｓ）、判断部１１４は筐体１１が浸水したものと判断する。そして、保存部１１５は判断結果を不揮発性メモリ１６に保存する（Ｓ５）。一方、湿度変動量が閾値より小さい場合（Ｓ４、ｎｏ）、Ｓ１に戻る。
【００３２】
以上のように、本実施の形態に係る第１の屋外装置１の浸水検出方法は、判断部１１４が、演算部１１２により演算された単位時間当たりの湿度変動量と、閾値読出部１１３により読み出された湿度変動量の閾値とを比較して第１の屋外装置１が浸水しているか否かを判断する。すなわち、判断部１１４は湿度変動量に基づいて浸水しているか否かを判断している。このため、筐体１１の内部に搭載されている種々の機器が浸水による影響を受ける前に、第１の屋外装置１の浸水による湿度上昇を精度良く検出することができ、第１の屋外装置１が浸水しているか否かの誤検出を防ぐことが可能となる。
【００３３】
本実施の形態では、筐体１１内に、湿度センサ１２、透湿手段１３、メモリ１４、ＣＰＵ１５及び不揮発性メモリ１６を有する第１の屋外装置１について説明したが、図４に示すように、更に、表示装置２７及びＩ／Ｆ２８を有する第２の屋外装置２であってもよい。
【００３４】
表示装置２７は、判断部１１４により判断された結果に基づいて、第２の屋外装置２が浸水していることを表示するための装置である。Ｉ／Ｆ２８は、判断部１１４により判断された結果を不図示の外部装置に通知する。例えば、Ｉ／Ｆ２８が接点端子の場合には、Ｉ／Ｆ２８と不図示の外部装置のＩ／Ｆとの端子間を開放とし、浸水と判断した場合には端子間を短絡にする。この逆の場合であってもよい。
【００３５】
このように、第２の屋外装置２を用いた浸水検出方法によれば、視覚的に且つ瞬時に第２の屋外装置２が浸水していることを表示装置２７により認識することができる。また、浸水により第２の屋外装置２の機能が停止する前に、不図示の外部装置に浸水状態であることをＩ／Ｆ２８を介して通知することができる。このため、第２の屋外装置２が設置されている場所に管理者が居合わせなくとも第２の屋外装置２が浸水している状態を認識することが可能となる。
【００３６】
また、本実施の形態では筐体１１内に湿度センサ１２を一つ搭載しているが、筐体１１の形状や透湿手段１３の位置等を踏まえ、筐体１１内に二つ以上の湿度センサ１２を、筐体１１内の湿度を測定したい箇所に搭載してもよい。湿度センサ１２を複数搭載することにより、筐体１１内の湿度を漏れなく検出することができ、より正確に浸水しているか否かを判断することができる。なお、複数の湿度センサ１２を筐体１１内に搭載する場合、各センサには測定誤差があるため、前述の閾値を設定する上で測定誤差を加味する必要がある。
【００３７】
また、本実施の形態では、閾値を演算する際、気温が０℃未満では水が凝固するために説明を割愛したものの、設置環境によっては０℃未満の温度を考慮して閾値を演算することもできる。
【００３８】
さらに、本実施の形態では、筐体１１の内部及び気温の変動を考慮していないが、これらの温度変動を考慮した閾値に基づいて浸水しているか否かを判断してもよい。具体的には、筐体１１内に温度センサを設け、この温度センサで検出された温度に基づいて閾値を演算し、浸水しているか否かを判断してもよい。筐体１１内の温度は季節、時間などの種々の状況に応じて変化する。このため、種々の状況に応じて最適な閾値を設定することができ、精度よく浸水しているか否かを判断することが可能となる。
【符号の説明】
【００３９】
１  第１の屋外装置、２  第２の屋外装置、１１及び２１  筐体、１２及び２２  湿度センサ（湿度検出手段）、１３及び２３  透湿手段、１４及び２４  メモリ、１５及び２５  ＣＰＵ、１６及び２６  不揮発性メモリ、２７  表示装置、２８  Ｉ／Ｆ、１１１  湿度取得部、１１２  演算部、１１３  閾値読出部、１１４  判断部  １１５  保存部。
【図１】
2012037347.tif 000005
【図２】
2012037347.tif 000006
【図３】
2012037347.tif 000007
【図４】
2012037347.tif 000008